【手続補正書】
【提出日】平成25年10月18日(2013.10.18)
【手続補正１】
【補正対象書類名】特許請求の範囲
【補正対象項目名】全文
【補正方法】変更
【補正の内容】
【特許請求の範囲】
【請求項１】
下記一般式（１）で表されることを特徴とするキノフタロン色素。
一般式（１）
【化１】
2013133448.tif 000001
（式中、Ｒ1は置換もしくは無置換のアルキル基、または、置換もしくは無置換のアリール基である。
式中、Ｒ2〜Ｒ5は、それぞれ独立に水素原子、置換もしくは無置換のアルキル基、置換もしくは無置換のアリール基、または、−ＣＯＯ−Ｒ6を表わす。また、Ｒ6は置換もしくは無置換のアルキル基、または、置換もしくは無置換のアリール基である。
ただし、Ｒ2〜Ｒ5のうち、少なくとも１つは−ＣＯＯ−Ｒ6を表わす。）
【請求項２】
請求項１記載のキノフタロン色素を含んでなるカラーフィルタ用色素。
【請求項３】
少なくとも着色剤とバインダー樹脂とからなるカラーフィルタ用着色組成物において、該着色剤が、請求項２記載のキノフタロン色素を含むことを特徴とするカラーフィルタ用着色組成物。
【請求項４】
さらに着色剤が顔料を含有することを特徴とする請求項３に記載のカラーフィルタ用着色組成物。
【請求項５】
少なくとも赤色フィルタセグメント、緑色フィルタセグメント、および青色フィルタセグメントを備えるカラーフィルタにおいて、少なくとも１つのフィルタセグメントが、請求項３または４に記載のカラーフィルタ用着色組成物により形成されてなるカラーフィルタ。
【手続補正２】
【補正対象書類名】明細書
【補正対象項目名】００１７
【補正方法】変更
【補正の内容】
【００１７】
一般式（１）
【化１】
2013133448.tif 000002
【手続補正３】
【補正対象書類名】明細書
【補正対象項目名】００２７
【補正方法】変更
【補正の内容】
【００２７】
一般式（１）
【化２】
2013133448.tif 000003
【手続補正４】
【補正対象書類名】明細書
【補正対象項目名】００４６
【補正方法】変更
【補正の内容】
【００４６】
【化４】
2013133448.tif 000004
【手続補正５】
【補正対象書類名】明細書
【補正対象項目名】００４８
【補正方法】変更
【補正の内容】
【００４８】
【化５】
2013133448.tif 000005
【手続補正６】
【補正対象書類名】明細書
【補正対象項目名】０１７０
【補正方法】変更
【補正の内容】
【０１７０】
（キノフタロン色素２の合成）
化合物（Ｂ）５．０部と１−ブロモ−２−エチルヘキサン１３．７部と水酸化ナトリウム１．３部、Ｎ，Ｎ−ジメチルアセトアミド３０部を混合し、１００℃で５時間攪拌した。放冷後、クロロホルム１００部、イオン交換水１００部を添加し、抽出した。さらに、抽出したクロロホルム層を、イオン交換水１００部で２回洗浄した。そして、得られたクロロホルム層に硫酸マグネシウム（無水物）を１０部添加し、室温で３０分攪拌することで脱水した。その後、硫酸マグネシウムを吸引ろ過でろ別して、得られたクロロホルム層を濃縮し、真空乾燥機（４０℃）で一晩乾燥することで、キノフタロン色素２を６．８部得た。収率は８１．２％であった。質量分析装置（ＴＯＦ−ＭＳ：ブルカー・ダルトニクス社製 ａｕｔｏｆｌｅｘII）で化合物の同定を行なった。ｍ／ｚ＝５５７（分子量５５７．３）で目的物であることを確認した。
【手続補正７】
【補正対象書類名】明細書
【補正対象項目名】０１８０
【補正方法】変更
【補正の内容】
【０１８０】
（キノフタロン色素５の合成）
化合物（Ｂ）５．０部と２−エチルヘキシル−４−ブロモブタノエイト１０．５部と水酸化ナトリウム１．３部、Ｎ，Ｎ−ジメチルアセトアミド３０部を混合し、１００℃で５時間攪拌した。放冷後、クロロホルム１００部、イオン交換水１００部を添加し、抽出した。さらに、抽出したクロロホルム層を、イオン交換水１００部で２回洗浄した。そして、得られたクロロホルム層に硫酸マグネシウム（無水物）を１０部添加し、室温で３０分攪拌することで脱水した。その後、硫酸マグネシウムを吸引ろ過でろ別して、得られたクロロホルム層を濃縮し、真空乾燥機（４０℃）で一晩乾燥することで、キノフタロン色素５を１０．１部得た。収率は９１．３％であった。質量分析装置（ＴＯＦ−ＭＳ：ブルカー・ダルトニクス社製 ａｕｔｏｆｌｅｘII）で化合物の同定を行なった。ｍ／ｚ＝７２９（分子量７２９．９）で目的物であることを確認した。
【手続補正８】
【補正対象書類名】明細書
【補正対象項目名】０１８２
【補正方法】変更
【補正の内容】
【０１８２】
（キノフタロン色素６の合成）
化合物（Ｂ）５．０部と２−エチルヘキシル−４−ブロモペンタノエイト１２．５部と水酸化ナトリウム１．３部、Ｎ，Ｎ−ジメチルアセトアミド３０部を混合し、１００℃で５時間攪拌した。放冷後、クロロホルム１００部、イオン交換水１００部を添加し、抽出した。さらに、抽出したクロロホルム層を、イオン交換水１００部で２回洗浄した。そして、得られたクロロホルム層に硫酸マグネシウム（無水物）を１０部添加し、室温で３０分攪拌することで脱水した。その後、硫酸マグネシウムを吸引ろ過でろ別して、得られたクロロホルム層を濃縮し、真空乾燥機（４０℃）で一晩乾燥することで、キノフタロン色素６を１０．５部得た。収率は９２．３％であった。質量分析装置（ＴＯＦ−ＭＳ：ブルカー・ダルトニクス社製 ａｕｔｏｆｌｅｘII）で化合物の同定を行なった。ｍ／ｚ＝７５７（分子量７５８．０）で目的物であることを確認した。
【手続補正９】
【補正対象書類名】明細書
【補正対象項目名】０１８４
【補正方法】変更
【補正の内容】
【０１８４】
（キノフタロン色素７の合成）
化合物（Ｂ）５．０部と２−エチルヘキシル−２−ブロモブタノエイト１１．８部と水酸化ナトリウム１．３部、Ｎ，Ｎ−ジメチルアセトアミド３０部を混合し、１００℃で５時間攪拌した。放冷後、クロロホルム１００部、イオン交換水１００部を添加し、抽出した。さらに、抽出したクロロホルム層を、イオン交換水１００部で２回洗浄した。そして、得られたクロロホルム層に硫酸マグネシウム（無水物）を１０部添加し、室温で３０分攪拌することで脱水した。その後、硫酸マグネシウムを吸引ろ過でろ別して、得られたクロロホルム層を濃縮し、真空乾燥機（４０℃）で一晩乾燥することで、キノフタロン色素７を８．５部得た。収率は７７．６％であった。質量分析装置（ＴＯＦ−ＭＳ：ブルカー・ダルトニクス社製 ａｕｔｏｆｌｅｘII）で化合物の同定を行なった。ｍ／ｚ＝７２９（分子量７２９．９）で目的物であることを確認した。
【手続補正１０】
【補正対象書類名】明細書
【補正対象項目名】０１８６
【補正方法】変更
【補正の内容】
【０１８６】
（キノフタロン色素８の合成）
化合物（Ｂ）５．０部と２−エチルヘキシル−２−ブロモヘキサノエイト１２．５部と水酸化ナトリウム１．３部、Ｎ，Ｎ−ジメチルアセトアミド３０部を混合し、１００℃で５時間攪拌した。放冷後、クロロホルム１００部、イオン交換水１００部を添加し、抽出した。さらに、抽出したクロロホルム層を、イオン交換水１００部で２回洗浄した。そして、得られたクロロホルム層に硫酸マグネシウム（無水物）を１０部添加し、室温で３０分攪拌することで脱水した。その後、硫酸マグネシウムを吸引ろ過でろ別して、得られたクロロホルム層を濃縮し、真空乾燥機（４０℃）で一晩乾燥することで、キノフタロン色素８を７．５部得た。収率は６３．６％であった。質量分析装置（ＴＯＦ−ＭＳ：ブルカー・ダルトニクス社製 ａｕｔｏｆｌｅｘII）で化合物の同定を行なった。ｍ／ｚ＝７８５（分子量７８６．０）で目的物であることを確認した。
【手続補正１１】
【補正対象書類名】明細書
【補正対象項目名】０１８８
【補正方法】変更
【補正の内容】
【０１８８】
（キノフタロン色素９の合成）
化合物（Ｂ）５．０部とブチル−２−ブロモヘキサノエイト１０．１部と水酸化ナトリウム１．３部、Ｎ，Ｎ−ジメチルアセトアミド３０部を混合し、１００℃で５時間攪拌した。放冷後、クロロホルム１００部、イオン交換水１００部を添加し、抽出した。さらに、抽出したクロロホルム層を、イオン交換水１００部で２回洗浄した。そして、得られたクロロホルム層に硫酸マグネシウム（無水物）を１０部添加し、室温で３０分攪拌することで脱水した。その後、硫酸マグネシウムを吸引ろ過でろ別して、得られたクロロホルム層を濃縮し、真空乾燥機（４０℃）で一晩乾燥することで、キノフタロン色素９を８．２部得た。収率は８１．１％であった。質量分析装置（ＴＯＦ−ＭＳ：ブルカー・ダルトニクス社製 ａｕｔｏｆｌｅｘII）で化合物の同定を行なった。ｍ／ｚ＝６７３（分子量６７３．８）で目的物であることを確認した。
【手続補正１２】
【補正対象書類名】明細書
【補正対象項目名】０１９０
【補正方法】変更
【補正の内容】
【０１９０】
（キノフタロン色素１０の合成）
化合物（Ｂ）５．０部と２−(２−(２−エチルヘキシルオキシ)エトキシ)エチル−５−ブロモペンタノエイト１５．１部と水酸化ナトリウム１．３部、Ｎ，Ｎ−ジメチルアセトアミド３０部を混合し、１００℃で５時間攪拌した。放冷後、クロロホルム１００部、イオン交換水１００部を添加し、抽出した。さらに、抽出したクロロホルム層を、イオン交換水１００部で２回洗浄した。そして、得られたクロロホルム層に硫酸マグネシウム（無水物）を１０部添加し、室温で３０分攪拌することで脱水した。その後、硫酸マグネシウムを吸引ろ過でろ別して、得られたクロロホルム層を濃縮し、真空乾燥機（４０℃）で一晩乾燥することで、キノフタロン色素１０を８．０部得た。収率は５７．１％であった。質量分析装置（ＴＯＦ−ＭＳ：ブルカー・ダルトニクス社製 ａｕｔｏｆｌｅｘII）で化合物の同定を行なった。ｍ／ｚ＝９３３（分子量９３４．０）で目的物であることを確認した。
【手続補正１３】
【補正対象書類名】明細書
【補正対象項目名】０１９２
【補正方法】変更
【補正の内容】
【０１９２】
（キノフタロン色素１１の合成）
化合物（Ｂ）５．０部と２−(２−(２−エチルヘキシルオキシ)エトキシ)エチル−２−ブロモブタノエイト１４．８部と水酸化ナトリウム１．３部、Ｎ，Ｎ−ジメチルアセトアミド３０部を混合し、１００℃で５時間攪拌した。放冷後、クロロホルム１００部、イオン交換水１００部を添加し、抽出した。さらに、抽出したクロロホルム層を、イオン交換水１００部で２回洗浄した。そして、得られたクロロホルム層に硫酸マグネシウム（無水物）を１０部添加し、室温で３０分攪拌することで脱水した。その後、硫酸マグネシウムを吸引ろ過でろ別して、得られたクロロホルム層を濃縮し、真空乾燥機（４０℃）で一晩乾燥することで、キノフタロン色素１１を８．５部得た。収率は６２．５％であった。質量分析装置（ＴＯＦ−ＭＳ：ブルカー・ダルトニクス社製 ａｕｔｏｆｌｅｘII）で化合物の同定を行なった。ｍ／ｚ＝９０５（分子量９０６．１）で目的物であることを確認した。
【手続補正１４】
【補正対象書類名】明細書
【補正対象項目名】０２４８
【補正方法】変更
【補正の内容】
【０２４８】
[実施例４６]
＜カラーフィルタ（ＣＦ−１）＞
ガラス基板上にブラックマトリクスをパターン加工し、該基板上にスピンコーターで赤色レジスト材（Ｒ―１）をＣ光源、ｘ＝０．６４０、ｙ＝０．３４０になるような膜厚に塗布し着色被膜を形成した。該被膜にフォトマスクを介して、超高圧水銀ランプを用いて３００ｍJ／ｃｍ2の紫外線を照射した。次いで０．２重量％の炭酸ナトリウム水溶液からなるアルカリ現像液によりスプレー現像して未露光部分を取り除いた後、イオン交換水で洗浄し、この基板を２３０℃で２０分加熱して、赤色フィルタセグメントを形成した。同様の方法により、緑色レジスト材（Ｇ―１）をｘ＝０．２６４、ｙ＝０．６００になるような膜厚に、青色レジスト材（Ｂ―１）を用いてｘ＝０．１５０、ｙ＝０．０６０になるような膜厚にそれぞれ塗布し、緑色フィルタセグメント、青色フィルタセグメントを形成して、カラーフィルタ（ＣＦ−１）を得た。
【手続補正１５】
【補正対象書類名】明細書
【補正対象項目名】０２５０
【補正方法】変更
【補正の内容】
【０２５０】
［実施例４７、４８、比較例１９、２０］
（カラーフィルタ（ＣＦ−２〜６）
以下、カラーフィルタ（ＣＦ−１）の作製と同様の方法により、表８に示すレジスト材と３波長ＣＣＦＬ光源の組み合わせで実施例４７、４８、比較例１９、２０のカラーフィルタ（ＣＦ−２〜６）とカラー表示装置を作製した。
【手続補正１６】
【補正対象書類名】明細書
【補正対象項目名】０２５２
【補正方法】変更
【補正の内容】
【０２５２】
表８
【表８】
2013133448.tif 000006
【手続補正１７】
【補正対象書類名】明細書
【補正対象項目名】０２５３
【補正方法】変更
【補正の内容】
【０２５３】
実施例４６、４７と比較例１９を比較して、同等の明度を示している。これは、今回開発したキノフタロン色素の耐性が非常に高いことに由来している。顔料使用時と同様のプロセスでカラーフィルタを作成可能であり、高耐性の色素であるために、カラーフィルタ作成後の色特性に変化が全く見られない。よって、カラーフィルタ作成時の安定性が高いことが言える。実施例４８も比較例２０と比較して同様のことが言える。